(57)【要約】【課題】  通常は就寝用の寝具として利用でき、また、必要に応じて着座用の座椅子としても兼用でき、さらにはコンパクトに折り畳むことにより収納や運搬面においても優れているマットレスを提供する。【解決手段】  緩衝性を有する中材２と、該中材２を被覆するカバー３とで形成される矩形状のマットレス１において、前記中材２内にパイプ芯材１０が収容されていることを特徴とする。前記パイプ芯材１０が、中空状のパイプにて形成された第一枠体部１１と、該第一枠体部１１にラチェット金具１２にて角度調節自在に連結された第二枠体部１３と、前記ラチェット金具１２間を跨設する支持体１９と、前記第二枠体部１３の略中央部に設置された、パイプ同士を連結し、内側方向に折曲可能な連結具１４と、を備えている。【選択図】      図１
0003109423.tif 000002
【実用新案登録請求の範囲】
【請求項１】
緩衝性を有する中材と、該中材を被覆するカバーとで形成される矩形状のマットレスにおいて、前記中材内にパイプ芯材が収容されていることを特徴とするマットレス。
【請求項２】
前記パイプ芯材が、中空状のパイプにて形成された第一枠体部と、該第一枠体部にラチェット金具にて角度調節自在に連結された第二枠体部と、前記ラチェット金具間を跨設する支持体と、前記第二枠体部の略中央部に設置された、パイプ同士を連結し、内側方向に折曲可能な連結具と、を備えている請求項１記載のマットレス。
【請求項３】
前記連結具に、折曲側とは反対側にカバー体が装着されている請求項１または２記載のマットレス。
【請求項４】
前記マットレスの先側部分のパイプ芯材が収容されていない部分に折曲部を設けた請求項１乃至３のいずれか一項記載のマットレス。
【考案の詳細な説明】
【技術分野】
【０００１】
本考案は、就寝用としての利用はもとより、着座用の座椅子としても兼用でき、さらには収納や運搬面において優れた利便性を発揮するマットレスに関する。
【背景技術】
【０００２】
従来、マットレスの収納作業や、マットレスを敷く作業等の労力を軽減したマットレスが知られている（例えば特許文献１参照）。特許文献１記載のマットレスは、第１の外側部分マットレスの角部と外側部分マットレスよりも短い第１の内側部分マットレスの角部とを連結部で連結し、内側部分マットレスの角部と内側部分マットレスと同じ長さの第２の内側部分マットレスの角部とを連結部で連結し、内側部分マットレスの角部と外側部分マットレスと同じ長さの第２の外側部分マットレスの角部とを連結部で連結することにより形成されている。
【特許文献１】特開平１１−７６０００号公報（第１−２頁、図１）
【考案の開示】
【考案が解決しようとする課題】
【０００３】
しかしながら、上掲特許文献１記載の構造を有するマットレスでは、収納作業や敷く作業の労力は軽減できるが、使用範囲が寝具に限定されるため、就寝時以外の目的に使用されることはできなかった。
【０００４】
そこで本考案の目的は、通常は就寝用の寝具として利用でき、また、必要に応じて着座用の座椅子としても兼用でき、さらにはコンパクトに折り畳むことにより収納や運搬面においても優れているマットレスを提供することにある。
【課題を解決するための手段】
【０００５】
上記課題を解決するために本考案のマットレスは、緩衝性を有する中材と、該中材を被覆するカバーとで形成される矩形状のマットレスにおいて、前記中材内にパイプ芯材が収容されていることを特徴とする。また、前記パイプ芯材が、中空状のパイプにて形成された第一枠体部と、該第一枠体部にラチェット金具にて角度調節自在に連結された第二枠体部と、前記ラチェット金具間を跨設する支持体と、前記第二枠体部の略中央部に設置された、パイプ同士を連結し、内側方向に折曲可能な連結具と、を備えている。さらに、前記連結具に、折曲側とは反対側にカバー体が装着されていてもよい。さらにまた、前記マットレスの先側部分のパイプ芯材が収容されていない部分に折曲部を設けてもよい。
【考案の効果】
【０００６】
本考案に係るマットレスによれば、マットレスの中材内にパイプ芯材を収容したことで、平坦状にした場合、通常の就寝用マットレスとして使用でき、また、第二枠体部を起立させた場合、座椅子として利用することができる。そのため、就寝時は寝具として、また、読書やテレビ鑑賞時は座椅子として、多目的に使用できる。
【０００７】
また、前記連結具に、折曲側とは反対側にカバー体を装着することで、第二枠体部の中央部分を折曲した際、中材が連結具のギヤ部分との接触により亀裂したり破損したりすることを防ぐことができる。
【０００８】
さらに、マットレスに折曲部を設けたことにより、折曲部からマットレスを折り畳み、第二枠体部の連結具を折曲させて、三つ折り状態にコンパクトに折り畳むことができ、運搬や収納面でも優れた効果を発揮することができる。
【考案を実施するための最良の形態】
【０００９】
以下、本考案に係るマットレスの好適実施の形態を図面に基づいて説明する。  図１は、本考案に係るマットレスの全体図を示すもので、マットレス１は、例えば、長さ１９５ｃｍ、幅９５ｃｍ、厚さ８ｃｍの矩形状を呈し、緩衝性を有する中材２と、中材２を被覆するカバー３と、中材２内に収容されたパイプ芯材１０とで形成されている。中材２の表面部分には通気性と指圧効果を有する凹凸部４が設けられている。
【００１０】
パイプ芯材１０は、図２に示すように、中空状の金属製のパイプＡを形状化にて形成させた第一枠体部１１と、第一枠体部１１にラチェット金具１２にて角度調節自在に連結された第二枠体部１３と、ラチェット金具１２間を跨設する支持体１９と、第二枠体部１３の略中央部に設置された、パイプＡ同士をフリーな状態で内側方向に折曲する連結具１４とを備えている。
【００１１】
パイプ芯材１０は、第一枠体部１１と第二枠体部１３とを平坦状にした場合、通常の就寝用のマットレスとして使用できる。また、ラチェット金具１２により第二枠体部１３を任意の角度に起立させた場合、図５に示すように、第二枠体部１３が背凭れとなり座椅子として使用することができる。
【００１２】
ラチェット金具１２は、既存のものを使用することができる。ラチェット金具１２は、その構造より、第二枠体部１３を段階的に屈曲させることができる。そのため、本考案に係るマットレス１を座椅子として使用する場合、所望の角度に背凭れを折り曲げて着座することが可能となり、リラックス感や安定性が向上する。
【００１３】
連結具１４は、図３および図４に示すように、パイプＡ同士をフリーな状態で折曲させるという特徴を有する。連結具１４は、既存のラチェット金具１２に装着されている、逆転防止爪と巻ばねを保持する枢軸１５を取り除くことにより形成される。かかる枢軸１５を取り除くことにより、第二枠体部１３の上部１３ａをフリーな状態で内側方向へ屈曲させることができる。このため、図６に示すように、第二枠体部１３の上部１３ａを内側方向に折曲させることにより、第二枠体部１３を二つ折りに折り畳むことができる。
【００１４】
マットレス１の長手方向における第一枠体部１１と第二枠体部１３の長さの比は特に限定されるものではないが、座椅子としての使用を考えると、第一枠体部１１の長さは第二枠体部１３の長さに比べてやや短い方が好ましい。
【００１５】
また、本考案に係るマットレスの他の好適例として、連結具１４が折曲される反対側にカバー体１６を装着することが好ましい。カバー体１６は、平板本体１７と、平板本体１７の側面に設置された保持部１８とで構成されている。連結具１４にカバー体１６を装着させたことで、第二枠体部１３の上部１３ａを内側方向に折曲した際、中材２が連結具１４のギヤ部分と接触して亀裂したり破損したりすることを防ぐことができる。
【００１６】
さらに、本考案に係るマットレスの他の好適例として、マットレス１に折曲部５を設けることが好ましい。かかる折曲部５は、マットレス１の先側部分６の下方に切込み７を設けることにより形成される。マットレス１の先側部分６の下方に切込み７を設けることにより、図７に示すように、先側部分６を上方に折り畳むことができる。また、マットレス１の先側部分から折曲部５までの長さは特に限定されるものではないが、好ましくは、マットレス１の長手方向で第一枠体部１１が収容されている部分の長さと同様またはやや短めとする。
【００１７】
次に、本考案に係るマットレスの使用法および折り畳む状態を図７に基づいて説明する。
（ａ）は、パイプ芯材１０の第一枠体部１１と第二枠体部１３とを水平状に連結させ、マットレス１を平坦状に形成し汎用の寝具用マットレスとして使用する状態を示す。
（ｂ）は、ラチェット金具１２により第二枠体部１３を起立させて背凭れを形成し、座椅子として利用する状態を示す。この際、マットレス１の先側部分６に脚を伸ばした状態で着座することができる。
（ｃ）は、マットレス１の先側部分６を折り畳んだ状態を示す。この状態で先側部分６は第一枠体部１１の上面に配設されるため、緩衝性の高い座部として使用することができる。
（ｄ）は、第二枠体部１３の上部１３ａを連結部１４から内側方向に約９０°の角度で折曲した状態を示す。この場合、マットレス１は平坦状態に比べ略三分の一の長さに縮小されるので、運搬や収納面での利便性が高まる。
【図面の簡単な説明】
【００１８】
【図１】本考案に係るマットレスの全体斜視図である。
【図２】図１のマットレスの内部構造を示す全体斜視図である。
【図３】図１の連結部の詳細を示す斜視図である。
【図４】図３の連結部の側面図である。
【図５】図１の第二枠体部を起立した状態の斜視図である。
【図６】図１の第二枠体部の上部を折曲げ状態の斜視図である。
【図７】本考案のマットレスの使用状態を示す側面図である。
【符号の説明】
【００１９】
１    マットレス
２    中材
３    カバー
４    凹凸部
５    折曲部分
６    先側部分
７    切込み
１０  パイプ芯材
１１  第一枠体部
１２  ラチェット金具
１３  第二枠体部
１３ａ  上部
１４  連結部
１５  枢軸
１６  カバー体
１７  平板本体
１８  保持部
１９  支持体
【図１】
0003109423.tif 000003
【図２】
0003109423.tif 000004
【図３】
0003109423.tif 000005
【図４】
0003109423.tif 000006
【図５】
0003109423.tif 000007
【図６】
0003109423.tif 000008
【図７】
0003109423.tif 000009